(57)【要約】【課題】３相系において少なくとも電圧及び電流、好ましくは電力も含めた電気量を測定する方法及び装置を提供する。【解決手段】３相系の位相線L1,L2,L3に接続された電圧センナ2及び電流センサ3により位相線の位相電圧及び位相電流を検知する。対応する電圧及び電流信号をプロセッサ9にて評価し、表示器21に表示される測定データを形成する。電圧信号及び電流信号の相対位相位置を所定の位相シーケンスと比較し、ここから、電圧及び電流センサの位相線への接続の適切さ又は不適切さを判断し、対応する表示信号を表示器に出力する。電圧又は電流センサの１つ以上が不適切に位相線に接続されているとの判断に応じて、測定データの反転又は交換による自動的且つ電気的な補正を行う。【選択図】図１
2015055632.tif 000002
【特許請求の範囲】
【請求項１】
３相系における電気量を測定する方法であって、
上記３相系の位相線に接続された電圧センサ及び電流センサによって上記位相線の位相電圧及び位相電流を検知することと、
上記検知した位相電圧及び位相電流に対応する電圧信号及び電流信号をプロセッサによって評価して、表示器に表示される対応測定データを形成することとを備え、
上記評価は、
上記プロセッサにより上記電圧信号及び上記電流信号の相対位相位置を所定の位相シーケンスと比較し、
この比較に基づいて、上記位相線への上記電圧センサ及び上記電流センサの接続の適切さ及び不適切さを判断し、
対応する表示信号を上記表示器に出力することを特徴とする３相系における電気量測定方法。
【請求項２】
上記位相電圧及び上記位相電流に対して、上記３相系における各回転方向を判断する請求項１の方法。
【請求項３】
各位相に対して、上記方法は、上記電圧信号及び上記電流信号に基づき、上記夫々の位相シーケンスを考慮して、電力分析を実行することを特徴とする請求項１の方法。
【請求項４】
上記検知した位相電圧及び／又は位相電流を所定の最小閾値と予め比較し、上記最小閾値を超えたときのみ上記電圧信号及び／又は電流信号を評価する請求項１の方法。
【請求項５】
公称系周波数からの定義された最大偏差に対して、上記検知した位相電圧及び／又は位相電流を予めチェックする請求項１の方法。
【請求項６】
１つ以上の電圧センサ又は電流センサが上記位相線に不適切に接続されているとの判断に応答して、１つ以上の位相線の上記測定データの反転及び／又は交換を行う補正を実行する請求項１の方法。
【請求項７】
上記方法は電力分析を更に行い、該電力分析用に各位相に対する電流の流れの方向を判断する請求項１の方法。
【請求項８】
３相系における電気量を測定する装置であって、
上記３相系の位相線における位相電圧及び位相電流を検出する電圧センサ及び電流センサと、
上記電圧センサ及び上記電流センサからの電圧信号及び電流信号が供給され、上記電圧信号及び上記電流信号が上記検知された位相電圧及び位相電流に対応し、上記電圧信号及び上記電流信号を対応する測定データに処理するように構成されたプロセッサと、
上記測定データを表示する表示器とを備え、
上記プロセッサは、上記電圧信号及び上記電流信号の相対位相位置を求め、該相対位相位置を所定位相シーケンスと比較し、この比較に基づいて上記電圧センサ及び上記電流センサの上記位相線への接続の適切さ又は不適切さを判断し、対応する表示信号を上記表示器に出力することを特徴とする３相系における電気量測定装置。
【発明の詳細な説明】
【技術分野】
【０００１】
本発明は、電気量を測定する方法及び装置に関し、特に、３相系において少なくとも電圧及び電流を測定し、好ましくは電力も測定する方法及び装置に関する。
【背景技術】
【０００２】
３相電力供給系において、３相の電圧と共に、位相線（phase line：本願では、三相用の電線のことをいう）を流れる３つの電流を測定することが知られている。ここでは、関連した電圧及び電流の対応する組合せにより、電力及び／又はエネルギーを位相に関して求めることができる。これにより、電力の種々の特徴値、即ち、有効電力、無効電力及び皮相電力を求めることができる。また、皮相電力及び有効電力から、既知の方法で力率cosψを求めることができる。
【先行技術文献】
【特許文献】
【０００３】
【特許文献１】特開平１０−１５１００２号公報
【発明の概要】
【発明が解決しようとする課題】
【０００４】
今までの測定技術の１つの問題点は、電圧センサ及び電流センサを位相線に接続する際に、この接続にエラーが生じることである。例えば、間違った方法で電流プローブを位相線の周囲に配置すると、誤った電流方向が求まるか、又は、電圧センサ及び電流センサを正しい対にて３相に接続できない。しかし、その代わり、例えば、第２相及び第３相用の２つの電流プローブが入れ替わって、電力を求める際に不正確な電力や負の電力が結果として現れる。
【課題を解決するための手段】
【０００５】
本発明は、課題を解決するための手段として、以下の概念で説明できる。
（１）３相系における電気量を測定する方法であって；上記３相系の位相線に接続された電圧センサ及び電流センサによって上記位相線の位相電圧及び位相電流を検知することと；上記検知した位相電圧及び位相電流に対応する電圧信号及び電流信号をプロセッサによって評価して、表示器に表示される対応測定データを形成することとを備え；上記評価は；上記プロセッサにより上記電圧信号及び上記電流信号の相対位相位置を所定の位相シーケンスと比較し；この比較に基づいて、上記位相線への上記電圧センサ及び上記電流センサの接続の適切さ及び不適切さを判断し；対応する表示信号を上記表示器に出力することを特徴とする３相系における電気量測定方法。
（２）上記位相電圧及び上記位相電流に対して、上記３相系における各回転方向を判断する概念１の方法。
（３）上記回転の各方向に対して、上記個別の位相電圧及び位相電流の間の差分角度を求める概念２の方法。
（４）上記差分角度を求める際に、３相系の公称位相角度に関連して所定のバンド幅（マージン）を与える概念３の方法。
（５）各位相に対して、上記方法は、上記電圧信号及び上記電流信号に基づき、上記夫々の位相シーケンスを考慮して、電力分析を実行することを特徴とする概念１の方法。
（６）負荷又は発電機動作が与えられたか否かに応じて、上記電力分析を実行する概念５の方法。
（７）上記検知した位相電圧及び／又は位相電流を所定の最小閾値と予め比較し、上記最小閾値を超えたときのみ上記電圧信号及び／又は電流信号を評価する概念１の方法。
（８）公称系周波数からの定義された最大偏差に対して、上記検知した位相電圧及び／又は位相電流を予めチェックする概念１の方法。
（９）１つ以上の電圧センサ又は電流センサが上記位相線に不適切に接続されているとの判断に応答して、１つ以上の位相線の上記測定データの反転及び／又は交換を行う補正を実行する概念１の方法。
（１０）上記プロセッサにより電気的且つ自動的に上記補正を実行する概念９の方法。
（１１）上記方法は電力分析を更に行い、該電力分析用に各位相に対する電流の流れの方向を判断する概念１の方法。
（１２）３相系における電気量を測定する装置であって；上記３相系の位相線における位相電圧及び位相電流を検出する電圧センサ及び電流センサと；上記電圧センサ及び上記電流センサからの電圧信号及び電流信号が供給され、上記電圧信号及び上記電流信号が上記検知された位相電圧及び位相電流に対応し、上記電圧信号及び上記電流信号を対応する測定データに処理するように構成されたプロセッサと；上記測定データを表示する表示器とを備え；上記プロセッサは、上記電圧信号及び上記電流信号の相対位相位置を求め、該相対位相位置を所定位相シーケンスと比較し、この比較に基づいて上記電圧センサ及び上記電流センサの上記位相線への接続の適切さ又は不適切さを判断し、対応する表示信号を上記表示器に出力することを特徴とする３相系における電気量測定装置。
（１３）上記プロセッサは、上記位相電圧及び上記位相電流に対して、上記３相系における各回転方向を判断する概念１２の装置。
（１４）上記プロセッサは、上記回転方向を判断するために、上記個別の位相電圧及び上記個別の位相電流の間の差分角度を求める概念１３の装置。
（１５）上記差分角度を求めるために、公称位相角度に関連して所定のマージンを与える概念１４の装置。
（１６）上記プロセッサは、上記電圧信号及び上記電流信号に基づき、上記個別の位相シーケンスを考慮して各位相に対する電力分析を行う概念１２の装置。
（１７）負荷又は発電機の動作が与えられるか否かに応じて上記電力分析を実行する概念１６の装置。
（１８）上記プロセッサは、上記検知した位相電圧及び／又は位相電流を所定の最小閾値と予め比較し、上記最小閾値を超えたときのみ上記評価を行う概念１２の装置。
（１９）上記プロセッサは、公称系周波数からの定義された最大偏差に対して、上記検知した位相電圧及び／又は位相電流を予めチェックする概念１２の装置。
（２０）１つ以上の電圧センサ又は電流センサが上記位相線に不適切に接続されているとの判断に応答して、上記プロセッサは、１つ以上の位相線の上記測定データの反転及び／又は交換を行う自動で電気的な補正を実行する概念１９の装置。
（２１）各位相に対し、上記電圧信号及び上記電流信号に基づき、上記夫々の位相シーケンスを考慮して電力分析を実行し、計算した電力を対応位相シーケンス指示に関連して表示する概念１の方法。
（２２）計算した電力を上記位相シーケンスの対応指示に関連して表示するように上記表示器を駆動する概念１６の装置。
（２３）上記電力分析は、各位相に対する夫々の電流の流れ方向の判断を含む概念１６の装置。
【発明の効果】
【０００６】
本発明を実施するための形態では、不適切な接続、即ち誤った接続を迅速且つ安全に検出することができ、好ましくは電気的に補正もできる技術を提供する。本発明は、前もってのテストの援助により、少なくとも電圧のレベル及び電流のレベルの範囲で合理的な測定のみを判断し、公称系（システム）周波数からの定義された最大偏差が関与していることを確実にする。適切な位相への電圧及び電流の適切な位相（回転の意味で、位相シーケンス）への割り当ても行える。
【図面の簡単な説明】
【０００７】
【図１】図１は、多機能測定機器の形式で電気量を測定する本発明の実施例による装置のブロック図である。
【図２】図２は、測定機器のセンサを位相線に接続した際の適切さをチェックするための本発明の実施例による流れ図である。
【図３】図３は、図２に示す流れ図の一部であり、測定機器が基本的に適切か否かをチェックする目的で電圧の確認する詳細な流れ図である。
【図４】図４は、図２に示す流れ図の一部であり、測定機器が基本的に適切か否かをチェックする目的で電流の確認する詳細な流れ図である。
【図５】図５は、図２に示す流れ図の一部であり、電圧回転（電圧の回転の方向）の分析を説明する詳細な流れ図である。
【図６Ａ】図６Ａは、図２に示す流れ図の一部であり、図６Ｂと一体になって、電流回転の分析を説明する詳細な流れ図である。
【図６Ｂ】図６Ｂは、図２に示す流れ図の一部であり、図６Ａと一体になって、電流回転の分析を説明する詳細な流れ図である。
【図７Ａ】図７Ａは、図７Ｂと共に、３つの要素、即ち、回転の正方向（いわゆる「正シーケンス系」）、回転の負方向（いわゆる「負シーケンス系」）及び単なる偏倚又はオフセットによって、一般的な３相フェーザ系（電圧・電流などの振幅と位相に対応するベクトル）の合成を示す図である。
【図７Ｂ】図７Ｂは、図７Ａと共に、３つの要素、即ち、回転の正方向、回転の負方向及び単なる偏倚又はオフセットによって、一般的な３相フェーザ系の合成を示す図である。
【図８】図８は、図２に示す流れ図の一部であり、消費装置系の電力分析の詳細な流れ図である。
【図９】図９は、図２に示す流れ図の一部であり、発電機系の電力分析の詳細な流れ図である。
【発明を実施するための形態】
【０００８】
本発明は、所定位相シーケンスとの比較によって電圧信号と共に電流信号の相対位相位置を評価し、これにより、位相線への電圧センサ及び電流センサの接続の適切さ又は不適切さを判断する。対応する表示信号を表示器に出力する。
【０００９】
本発明の方法において、プロセッサは、所定位相シーケンスとの比較において、電圧信号と共に電流信号の相対位相位置を判断し、これにより、位相線への電圧センサ及び電流センサの接続の適切さ又は不適切さを判断し、対応する表示信号を表示器に出力する。
【００１０】
電圧センサ及び電流センサの接続の適切さに関心を持つ限り、３相系において、位相電圧及び位相電流の回転の方向を夫々求めることができる。この目的のため、複数の位相電圧の個別の間の差分角度、又は複数の位相電流の個別の間の差分角度を求めてもよい。差分角度の判断は、好ましくは、３相系の公称位相角度、例えば、＋１２０°及び−１２０°に関連して、所定のバンド幅（マージン）、例えば、±５０°で行われる。
【００１１】
電圧及び電流の測定データに基づいて、各位相に対する電力計算を行える。ここで、夫々の位相シーケンスを考慮し、好ましくは、対応する位相シーケンス指示（正しい位相シーケンス又は反転した位相シーケンス）に関連して、計算した電力を表示する。正しい電力計算に関心を持つ限り、有効電力、無効電力及び皮相電力を夫々計算できる。さらに、望めば、高速フーリエ変換（ＦＦＴ）により高調波成分も計算できる。さらに、電力計算において、負荷動作（消費装置の動作）又は発電機動作（即ち、太陽光発電システムの接続による）が行われているか否かを考慮できる。
【００１２】
合理的な測定を確実にするために、検知した電圧及び／又は電流は、好ましくは、事前に所定の最小閾値と比較され、その後、検知した電圧及び／又は電流が閾値を超えたときに評価のみを実行する。同様な方法で、位相電圧及び位相電流に対しての周波数チェックを行える。すなわち、検知した電圧又は電流内に公称系周波数（例えば、５０Ｈｚ又は６０Ｈｚ）からの定義された最大偏差が存在するか否かをチェックする。所定公称周波数のチェックは、公称周波数付近の定義済み周波数レンジ内で実行される。
【００１３】
さらに、電力分析に対して、間違った方法で取り付けられた如何なる電流センサも検出するために、各位相に対して電流の流れる方向を判断することが目的にかなう。間違った方法で取り付けられた電流センサは、個別の位相電力における逆のエネルギーの流れとなる（発電機と消費装置が交換されている）。
【００１４】
１つ以上のセンサを位相線へ誤って接続した場合、本発明によるここでの開示では、正確な位相シーケンスを生じるために、例えば、２つの位相の測定データを単に交換することによって、位相線へのセンサの直接接続を物理的に変更することなく、データ交換という意味での「補正」を実行できる。プロセッサにより、この補正を電気的且つ自動的に実行できる。
【００１５】
本明細書では、特に、スター（星形）、即ち、ワイ（Ｙ）接続における３相系について、以下に詳細に説明する。ここでの開示は、同じ方法で、スター・ポイントはないが、デルタ接続（「Δ」接続）における３相系にも適用できる。この場合、利用可能なスター・ポイントの代わりに、ベクトル的な中間電位、即ち、中性線を直接的な基準ポイントとして基準を得る。
【実施例】
【００１６】
以下、本発明の種々の実施例について添付図を参照して説明する。図１は、電気量、即ち、電圧及び電流を測定し、好ましくは、３相系における電力及び力率も計算する装置である測定機器１を示すブロック図である。３相系の３相は、Ｌ１、Ｌ２及びＬ３と呼ばれ、実際の位相線には、これら符号を用いる。さらに、図１は、電圧測定の範囲にて、中性線、中性又はゼロ点、若しくはスター・ポイントに割り当てられた中性対接地電位、即ちスター・ポイント電圧ＵNも示す。
【００１７】
電圧ＵL1、ＵL2、ＵL3及び電流ＩL1、ＩL2、ＩL3の測定のために、電圧センサ２及び電流センサ３を設ける。図示の実施例において、電圧センサ２は、分圧素子と共に分圧器４をそれぞれ構成する。これら分圧器の分岐点に各増幅器５を接続する。３相Ｌ１、Ｌ２及びＬ３に応じて、所定の３チャンネルが存在することになる。ここで、これら３チャンネルに対応して、増幅器５の出力端をアナログ・デジタル（Ａ／Ｄ）変換器（ＡＤＣ）６の３つのチャンネル入力Ｃｈ１、Ｃｈ２及びＣｈ３に接続する。
【００１８】
ここまで説明した上述の電圧測定ユニットの各要素２、４、５及び６は、測定機器１の残りの部分からトランス７、８によってガルバニ分離されている。よって、トランスがガルバニ分離器になる。一方、図１に示すように、ガルバニ分離器７を介して処理手段であるデジタル信号プロセッサ９からクロック信号や制御信号をＡ／Ｄ変換器６に供給すると共に、また、ガルバニ分離器７を介してＡ／Ｄ変換器６からのＡ／Ｄ変換した信号をデジタル信号プロセッサ９（以下、単にＤＳＰ９という）に供給する。一方、電圧センサ・ユニット、特にＡ／Ｄ変換器６及び増幅器５への電圧供給は、図１の下側のガルバニ分離器８を介して実現する。よって、中性線Ｎは、測定機器１の残りの部分と異なる電位である点に考慮されたい。３相系のＹ接続の場合、これら３つの電圧チャンネルに対して、中性線Ｎが基準点である。すなわち、電力又は主要電力のスター・ポイントへの接続がある。デルタ接続の場合、スター・ポイントがないが、３相においてベクトル的な中間電位が確実にあり、この中間電位が基準電位として作用する。
【００１９】
３つの入力電圧ＵL1、ＵL2及びＵL3による３つの電圧チャンネルは、電圧センサ（分圧器）２及びバッファ増幅器５を介してＡ／Ｄ変換器６により同期的にサンプルされるが、サンプル・レートは例えば５ｋＨｚである。次に、対応する信号データは、ガルバニ分離器７を介してＤＳＰ９に分離的に伝送される。
【００２０】
電流センサ３は、任意の形式でよい。例えば、微分信号を発生するロゴスキー・センサを用いてもよい。電流センサ３としては、分流器及び従来の電流プローブを用いることもできる。分流器が電流／電圧変換における高電位に存在するので、電流測定要素がガルバニ分離される。しかし、この点に関しては、これ以上の説明が必要ないであろう。電流ＩL1、ＩL2及びＩL3は、高ダイナミックであるので、各電流測定チャンネルに対してレンジ変更スイッチ又はバンド・スイッチ１０を設けてもよい。これらスイッチは、制御線１１を介してＤＳＰ９から独立に制御できる。さらに、各電流センサ３は、測定精度を上げるために、センサ形式、増幅度、位相位置及び更なるパラメータに関するデータを蓄積する専用メモリ要素１２を有する。「センサＩＤ」データは、バス１３を介してＤＳＰ９により読み取られる。
【００２１】
念のため、電圧チャンネルと対照的に、電流センサ３を有する３つの電流チャンネルは、ガルバニ分離を必要しないことを指摘しておく。すなわち、好ましくは電流セントして用いるロゴスキー・コイル又は電流プローブは、その測定原理により既にガルバニ分離を確保している。
【００２２】
よって、ロゴスキー・センサが電流センサ３の場合に積分を行うために、又は、電流プローブが電流センサの場合に単に増幅を行うために、各レンジ切り替えスイッチ１０の後段の演算増幅器１４のレンジにてスイッチング・オーバー（スイッチ切り替え）又はチェンジ・オーバー（変更）をセンサの形式に応じて実行する。個別の電流測定チャンネルにおける増幅器１４に注目すると、帰還路、即ち、コンデンサ１５（ロゴスキー・センサの場合に積分の目的で使用する）及び抵抗器１６（電流センサ３が電流プローブの場合に増幅の目的で使用する）には、コンデンサ１５及び抵抗器１６のどちらを帰還路に挿入するかを選択する切り替え要素が設けられている。ＤＳＰ９は、対応する制御線１７を介して、これらスイッチング・オーバー又はチェンジ・オーバーをトリガする。その後、求めた電流信号を３チャンネルでＡ／Ｄ変換器ユニット１８に供給して、これら電流信号を互いに同期して、またＡ／Ｄ変換器６での電圧サンプリングとも同期して、デジタル信号に変換する。これらデジタル信号は、ＤＳＰ９に供給される。
【００２３】
測定機器１は、測定値チャンネルをバランスさせるためのアナログ設定を備えていない。メモリ（ＥＥＰＲＯＭ）１９に蓄積された校正データを用い、定義済みの基準電圧を電圧チャンネルに供給して、電圧チャンネルの校正を行う。ここで、基準電圧は、好ましくは、測定レンジの最終値に近い。基準電圧は、各測定した電圧の実効値と比較する。なお、実効値は、Ａ／Ｄ変換器６の値に基づいて計算される。
【００２４】
一方、上述のように、電流センサ３のデータをプラグ形式メモリ要素１２に夫々入力する。ここで、校正及び増幅係数は別として、電流センサ３の形式と測定レンジの最終値及び各サポートされるレンジも蓄積される。よって、測定機器１は、センサ形式及びセンサ３の特徴を直接的に考慮できる。電流センサ３に電流プローブを用いる場合、センサ信号を直接評価する。ロゴスキー・センサの場合、ロゴスキー・センサにより微分された元の入力信号を正確にマッピングする（描く）ために、この信号を更に積分する。このために測定機器１自体に追加構成は必要ない。
【００２５】
交流では、振幅係数で校正に充分である。さらに、特に電流プローブの場合、校正期間中に各センサの位相角度を蓄積する。各電流プローブの磁気特性により、この位相角度が異なることがある。実効電力測定における位相角度は、cosψ（Ｐ＝Ｕ＊Ｉ＊cosψ）に直接含まれるので、位相角度は、正確な実効電力測定にも重要である。同じことが無効電力にも適用される。すなわち、Ｑ＝Ｕ＊Ｉ＊sinψである（皮相電力Ｓ＝Ｕ＊Ｉは、位相角度ψと独立している点に留意されたい）。
【００２６】
直流校正の場合、増幅係数に加えて、ゼロ補正（オフセット）も重要である。このゼロ補正は、Ａ／Ｄ変換器６が入力電圧を短絡した後に行われる。その結果は、オフセットとして校正メモリ１９に蓄積される。
【００２７】
安全の理由で、センサの交換があったか否かを見つけるために、ＤＳＰ９は、特定のインターバルで、例えば、５秒毎に、各電流センサＩＤをチェックできる。
【００２８】
その後、ＤＳＰ９は、３つの電圧チャンネル及び３つの電流チャンネル用のデジタル値を更に処理する。
【００２９】
メイン・プロセッサ２０は、表示手段として設けられた表示器２１と、キー・パネル２２とのインタフェースを形成し、また、動作状態に応じて点滅光信号又は安定光信号を表すために、例えばＬＥＤである可視表示ユニット２３を備える。これらとは別に、メイン・プロセッサ２０は、信号処理のタスクを行って、ＤＳＰ９との組合せで分散信号処理を行う。例えば、メイン・プロセッサ２０は、ＤＳＰ９から２００ｍｓのパケットを受けるので、平均化に長い期間がかかる。
【００３０】
キー・パネル２２のキーの配列により、例えば、表示器２１上の指示に影響を与えるようにできるので、指示に対して異なる事象を選択できる。
【００３１】
この接続において、例えば、実効電力及び皮相電力から計算した力率を各位相に対して示すこともできる。
【００３２】
上述の如く、対応するセンサ形式のデータをＤＳＰ９に供給し、信号処理においてこれらパラメータを考慮する。アナログ・アクチュエータなどを用いることなしに、高い精度が得られる。実際には、どの電流センサ３が現在接続されているかに応じて、センサ形式及び測定レンジを自動的に調整できる。
【００３３】
上述の如く、電流信号及び電圧信号は、全て同期して検知される。電流に対する電圧の位相位置は、実効電力の計算に非常に重要なので、電流チャンネル及び電圧チャンネルの同時検知は、電力計算に大きな影響を与える。
【００３４】
表示器２１によって与えられる表示手段上には、次の指示、例えば、位相に対する電圧及び電流、位相の回転方向、電流の流れる方向、許容電流入力の一致が表示される。この過程で、センサが適切に接続されているか否かの情報を直接受ける。
【００３５】
指示について以下に詳細に説明する。
［電圧］
・電圧値が閾値未満ならば、電圧値が特別な方法、例えば赤で表示される。
・この方法において表示された電圧値の１つが低すぎるならば、又は回転の方向の指示が時計回転方向にも反時計回転方向にもないとき、不可能な結果としてのシンボル、例えば「Ｘ」を結果欄に示す。
・最小閾値を、例えば、有効電圧のレンジの１／２０で示すことができる。
【００３６】
［電流］
・この位相における実効電力が正ならば、矢印で指示する上方向（例えば、黒矢印）によって、特定位相の電流値を指示する。
・この位相における実効電力が負ならば、矢印で指示する下方向（例えば、赤矢印）によって、特定位相の電流値を指示する。
・電流値が所定の最小閾値未満ならば、電流の流れも示されず、位相の環状矢印も示されない。
・最小閾値は、例えば、電流の実効値の測定レンジの１／１５０である。
【００３７】
［回転の方向の指示］
・回転の方向が正ならば、時計回転方向の矢印（例えば、黒）が表示される。
・回転の方向が負ならば、反時計回転方向の矢印（例えば、赤）が表示される。
・回転の方向が未知であるか、信号が弱すぎるならば、十字又は同様な特殊文字が表示される。
【００３８】
［電力］
・トポロジに応じて、３相における有効電力「ａ」（Ｌ１）、「ｂ」（Ｌ２）及び「ｃ」（Ｌ３）が表示される。
・実効電力が負ならば、これは、表示上で特に強調される、例えば、「―」が追加される。さらに、電力の流れの方向が選択された負荷又は発電機の動作に対応しなければ、実効電力は、色、例えば赤で表される。
【００３９】
［帰還］
・エラーが検出されなければ、これに対応した指示、例えば、「エラーが検出されず」の指示が行われる。
・信号が弱すぎると、その旨が表示される。例えば、「位相ｘの電圧が弱すぎる−接続をチェック」、「位相ｘの電流が弱すぎる−接続をチェック、又はセンサを小さなレンジで用いる」である。
・電圧及び電流に対する補正（スイッチング・オーバー又はチェンジ・オーバー）が可能ならば、自動補正の要求と一緒にその旨を示す。例えば、以下の表２を参照のこと。
【００４０】
以下の説明において、表示器２１上での可能な指示は、２つの表、即ち、表１及び表２に示す。ここで、表１は、誤りのない測定を表し、表２では、例えば、位相Ｌ２及びＬ３が電流センサにおいて交換している。
【００４１】
【表１】
2015055632.tif 000003
エラー検出なし。
なお、▲は消費装置を示し、▼は発電機を示す。
【００４２】
【表２】
2015055632.tif 000004
エラー・シーケンスを検出。
電圧：１−Ｌ１、２−Ｌ２、３―Ｌ３
電流：１−Ｌ１、２−Ｌ３*、３―Ｌ２
なお、▲は消費装置を示し、▼は発電機を示す。
【００４３】
図２は、本発明の実施例により、接続構成の適切さ、即ち、個別の位相又は位相線Ｌ１、Ｌ２及びＬ３（以下、Ａ、Ｂ及びＣでも示す）を伴うセンサ２、３の接続の適切さをチェックする流れ図である。上述の如く、図２の開始ステップＳ１で示すように、対応する計算処理は、２００ｍｓ毎に開始する。次に２つのステップＳ２、Ｓ３が続き、電圧及び電流の大きさに関して、合理的な測定を行えるか、行うべきか否かを判断する。詳細には、ステップＳ２にて電圧確認を実行し、ステップＳ３にて電流確認を実行する。確認の方法は、図３の方法（電圧確認）及び図４の方法（電流確認）により、以下に詳細に説明する方法で実行する。
【００４４】
ステップＳ２又はＳ３において、その結果が信号（電圧又は電流）の小さすぎ、又は無効周波数の存在ならば、更なる計算を停止し、図２のステップＳ４Ａ及びＳ４Ｂに示す如き対応する表示を表示器２１上に示す。
【００４５】
電圧信号及び電流信号が正しいと思われと、位相電圧の回転の方向をチェックする（ステップＳ５、詳細は図５を参照のこと）と共に、位相電流の回転の方向をチェックする（ステップＳ６、詳細は図６を参照のこと）。
【００４６】
上述のステップＳ５及びＳ６によるチェックにおいて、回転の方向が判断できないと、ステップＳ４Ｃに示すように、この状態を表示器２１上に示す。
【００４７】
次に、ステップＳ７Ａ〜Ｓ７Ｄに応じて、いわゆる成分分析（逆補償）を実行するが、その詳細を図７Ａ及び図７Ｂに示す。ここでは、図２に示すように、正及び負の電圧成分及び電流成分Ｕ+、Ｕ-及びＩ+、Ｉ-を求め、これらに対して更なる計算の過程で変数Ｕｓ及びＩｓを設定する。
【００４８】
次に、３相のメインに接続されているシステムが消費装置系か発電機系に応じて、消費装置系の電力分析をステップＳ８（詳細は図８に示す）で実行し、発電機系の電力分析をステップＳ９（詳細は図９に示す）で実行する。このため、ステップＳ１０により、消費装置の動作か発電機の動作かを手動で入力する。
【００４９】
ステップＳ８及びステップＳ９における各電力分析から、結果が判断できないと、ステップＳ４Ｄでその旨の指示を行い、更なる計算を停止する。そうでなければ、図８及び図９を参照して詳細に後述するように、対応する電力値を割り当てることができれば、ステップＳ１１により、この旨と対応する電力値とを表示器２１上に表示する。
【００５０】
図３は、図２における「電圧確認」ステップＳ２の処理を示す。処理手段であるＤＳＰ９は、ステップＳ２２にて、個別の各位相電圧Ｕｘを最小閾値（下限）と比較する。ステップＳ２３にて位相電圧Ｕｘが下限より大きいかを判断する。全ての場合ではないが、少なくとも１つの位相電圧が最小閾値よりも小さいことがあり（ステップＳ２３でノーＮの場合）、ステップＳ２４にて、図２のステップＳ４Ａに示すように、その旨が表示器２１上に指示されて、更なる計算を停止する。しかし、位相電圧Ｕｘが許容レンジ内ならば（ステップＳ２３でイエスＹの場合）、次にステップＳ２５にて、位相電圧が公称系周波数（ｆ）からの定義された最大偏差まで偏っているか否かをチェックする。ステップＳ２５の結果の判断ステップＳ２６での判断結果がノーＮの場合、ステップＳ２７にて、図２のステップＳ４Ｂに示すように、確実な周波数が存在しないとの表示を行い、更なる処理を停止する。しかし、測定した系周波数（ｆ）が所定限界内ならば（ステップＳ２６にてイエスＹの場合）、ステップＳ２８にて、その旨を記録し、ステップＳ５（図２）に進んで計算を継続する。
【００５１】
図２内のステップＳ３の詳細を図４に示す。ここでは、電流確認の過程を実行する。図４に示すように、開始ステップＳ３１の後、ステップＳ３２において、全ての位相電流Ｉｘが低閾値（下限）より高いかをチェックし、ステップＳ３３にて、そうであったか否かを判断する。１つの位相電流Ｉｘが低閾値未満であると（ステップＳ３３でノーＮの場合）、ステップＳ３４にて図２のステップＳ４Ａに示すように、表示器２１がその旨を表示し、計算処理を終了する。
【００５２】
しかし、全ての位相電流が低閾値よりも高ければ（ステップＳ３３でイエスＹの場合）、ステップＳ３５にて、位相電流が公称系周波数（ｆ）からの最大偏差まで偏っているか否かをチェックする。ステップＳ３３の結果の判断ステップＳ３６にてノーＮの場合、ステップＳ３７にて、図２のステップＳ４Ｂに示すようにその旨を表示し、更なる処理を終了する。系周波数が存在すれば（ステップＳ３６でイエスＹの場合）、ステップＳ３８にてその旨が指示されて、図２のステップＳ６にて信号処理が継続する。
【００５３】
処理手段であるデジタル信号プロセッサ（ＤＳＰ）９の設計に応じて、図３による電圧確認及び図４による電流確認を順番に、又は互いに並列に実行できる。並列処理が好ましく、これを図２が示している。
【００５４】
図５は、図２のステップＳ５による電圧の回転の方向のチェックを分析する詳細を示す。開始ステップＳ５１の後、初期化ステップＳ５２に進み、夫々の位相電圧Ｕの回転の方向を変数Ｘに等しくなるように設定する。次に、図５のステップＳ５３により、差分角度ａ’、ｂ’及びｃ’を計算する。すなわち、以下の計算を行う。
ａ’＝ψ（Ｕ１）−ψ（Ｕ２）
ｂ’＝ψ（Ｕ２）−ψ（Ｕ３）
ｃ’＝ψ（Ｕ３）−ψ（Ｕ１）
【００５５】
その結果を図５のステップＳ５４に示すように、並列処理か又はループによる順次処理の何れかにより、差分角度ａ’、ｂ’及びｃ’が−１２０°±５０°に等しいかのチェックを行う。ここで、−１２０°±５０°は、位相の範囲であるマージン±５０°に応じた値、即ち、−１２０°＋５０°から−１２０°−５０°の範囲の角度を表す。以下、類似の角度表記は、同じ意味である。このチェック結果が真（イエスＹ）ならば、位相の回転の負方向が存在し、ステップＳ５５において、実際の位相電圧Ｕ２及びＵ３の割り当てを交換する。ステップＳ５５の後、ステップＳ５６により、電圧位相の回転の方向が負であり、電圧の割り当てが電気的に交換されたという指示を記録（設定）する。さらに、ステップＳ５６Ａに進み、電圧の回転の方向が「回転Ｕ＝負」であるとの指示を表示器２１上に示す。
【００５６】
しかし、ステップＳ５４での判断結果が負（ノーＮ）ならば、即ち、回転が負方向でなければ、ステップＳ５７にて、差分角度ａ’、ｂ’及びｃ’の夫々が＋１２０°±５０°に等しいか否かをチェックする。等しくない（ステップＳ５７でノーＮ）場合、ステップＳ５８にて、電圧の回転の方向が許容できないものであり（＝Ｘ）、ＸのＵへの割り当てを実行する指示（設定）を行う。その後、ステップＳ５８Ａにて、「回転Ｕ＝Ｘ」の指示を表示器２１上に表示する。
【００５７】
しかし、ステップＳ５７での判断結果が正（イエスＹ）の場合、ステップＳ５９にて、電圧の回転の方向が許容できる、即ち、正及び実行可能と判断（設定）される。その後、ステップＳ５９Ａにて、電圧の回転の方向が正で、その電圧値の割り当てが許容できる旨の指示（回転Ｕ＝正）を表示する。ステップＳ５６Ａ、Ｓ５９Ａ及びＳ５８Ａにおいて表示された結果に応じて、図２による流れ図における次の位置は、ステップＳ７Ｂ、Ｓ７Ａ又はＳ４Ｃである。
【００５８】
ステップＳ６による電流の回転の方向の分析を図６（図６Ａ及び図６Ｂで構成される）に詳細に示す。これは、電流センサを不適切な位相に接続しないというだけでなく、たぶん正確で適切な位相にも電流センサを不適切に接続することによって電流の流れの間違った方向が結果となるという点から、一層複雑である。
【００５９】
電流の回転の方向の分析において、第１部分のステップＳ６０１〜Ｓ６０７は、図５のステップＳ５１〜Ｓ５７に相当する。開始ステップＳ６０１の後、初期化ステップＳ６０２により、変数Ｉ＝Ｘとすると共に、極性を初期化する。次のステップＳ６０３にて、位相差分角度の計算ａ＝ψ（Ｉ１）−ψ（Ｉ２）、ｂ＝ψ（Ｉ２）−ψ（Ｉ３）及びｃ＝ψ（Ｉ３）−ψ（Ｉ１）を実行する。
【００６０】
次に、ステップＳ６０４にて、差分角度ａ、ｂ及びｃが−１２０°±５０°（マージン±５０°に応じた角度）に等しいか否かをチェックする。イエスＹならば、ステップＳ６０５にて、接続を交換する。次に図６ＢのステップＳ６０６により、電流の回転の方向を負に設定し、電流割り当てを変化させる。その後、ステップＳ６０６Ａにて、電流の回転の方向が負であると指示する。
【００６１】
ステップＳ６０４の判断により、差分角度ａ、ｂ及びｃが角度−１２０°±５０°ではなく、位相Ｌ１、Ｌ２及びＬ３に関する電流センサ３の交換が行われていなければ（Ｓ６０４にてノーＮの場合）、ステップＳ６０７にて、図５での電圧の回転の方向の分析におけるステップＳ５７と同様に、差分角度ａ、ｂ及びｃが＋１２０°±５０°に等しいか否かをチェックする。等しくなければ（ノーＮの場合）、図６ＢのステップＳ６０８にて、各電流センサ、即ち各位相に対してループとなり、ステップＳ６０９にて各位相電流Ｉｘの反転を行う。次に、再び、ステップＳ６１０にて、上述のステップＳ６０３と同じ方法で差分角度ａ、ｂ及びｃを計算する。次に、ステップＳ６１１により、これら差分角度の全てが−１２０°±５０°と等しいか否化の判断を繰り返す。これら差分角度の１つのみが−１２０°と等しくても、又は割り当てられたマージン内であっても（ステップＳ６１１にてイエスＹの場合）、ステップＳ６１２にて、それが記録（設定）され、各位相電流Ｉｘが反転され、電流の極性が変化する。次に、処理は、ステップＳ６０６に進み、ステップＳ６０６Ａにより、電流の回転の方向が負であると指示される（ステップＳ６０９での各位相電流Ｉｘの反転に関わらない）。
【００６２】
しかし、ステップＳ６１１での判断により、差分角度ａ、ｂ及びｃが−７０°から−１７０°の角度レンジ内にないならば（ノーＮの場合）、ステップＳ６１３の判断ステップに進み、図５の電圧の回転の方向の分析におけるステップＳ５７と同様に、角度ａ、ｂ及びｃの各々が＋１２０°±５０°に等しいか、即ち、＋７０°から+１７０°のレンジ内かを判断する。等しくなければ（ノーＮの場合）、ループ・ノードＳ６１４を介してステップＳ６１５に進む。ここでは、電流の回転の方向をＸに等しく設定し、電流の割り当てをＸに等しく設定する。その後、対応する指示、即ち、電流の回転の方向を適切に求められないとの指示をステップＳ６１５Ａで実行する。
【００６３】
しかし、判断ステップＳ６１３にて、判断結果が正（イエスＹ）の場合、処理はステップＳ６１６に進む。ここでは、夫々の位相電流Ｉｘが反転され、電流の極性が変化したことを記録する。これは、例えば、対応する位相電流を反転することにより、夫々の位相線における電流プローブ・センサ３の不適切な接続が自動的に補正されたことを意味する。
【００６４】
計算及び判断（ステップＳ６１３）により、３相系における位相の回転の方向が許容できれば、図６ＢのステップＳ６１７に示すように、電流に対する回転の方向は、正と言える。また、電流の割り当てが許容できるとも言える。その後、ステップＳ６１７Ａにより、電流の回転の方向が正である旨の指示が表示器２１にもたらせる。
【００６５】
完全にするため、図２〜図６（更に図８及び図９）の流れ図において、適切な処理及び接続は、流れ図において実線で常に示される一方、不適切な接続又は誤った接続は、破線（点線又は断続線）で示される点に留意されたい。
【００６６】
図７Ａ及び図７Ｂから成る図７において、図２のステップＳ７Ａ〜Ｓ７Ｄによる成分分析を説明するために、例として、３相系の成分（図７Ｂ）から個別の対称成分（図７Ａ）を示す。
【００６７】
図７Ａは、３成分又は位相シーケンス、即ち、正シーケンスＰ、負シーケンスＮ、ゼロ・シーケンス又は単なる偏倚、即ち、オフセットＺ（Ｚ―Ｚero）を示す。正シーケンスPは、フェーザＡ+、Ｂ+及びＣ+を適切な順序で有する（ここで、従来技術により、時間中に常に増加する位相角度に応じて、ベクトル図は、反時計回転方向に常に回転する）。負シーケンスＮは、Ａ-、Ｃ-及びＢ-の順序で単一又は複数のフェーザを有する。ゼロ・シーケンスＺは、互いに並列な３つのフェーザＡ0、Ｂ0及びＣ0を備える。
【００６８】
シーケンスＰ、Ｎ及びＺから、図７Ｂにより不規則な系が構成され、３つの対称的な成分は、次のように配置される。これは、図７Ｂに、矢印Ａ0からＣ―により示すように、ゼロ・シーケンスＺ（Ａ0、Ｂ0、Ｃ0）で始まり、その後に正シーケンスＰ（Ａ+、Ｂ+、Ｃ+）が続き、最後に負シーケンスＮ（Ａ-、Ｃ-、Ｂ-）となる。
【００６９】
対応する方法で、逆に、図７Ｂによる一般的な系は、図７Ａによる対称な成分に分解できる。
【００７０】
これは、数十年間にわたって原理的に充分に知られているので、これ以上の説明は必要ないであろう。
【００７１】
図２のステップＳ７Ａ〜Ｓ７Ｄにより、従来方法で、対称成分Ｕ+、Ｕ-、Ｉ+及びＩ+（夫々個別の位相）をＵｓ又はＩｓに等しく設定する。次に、図２のステップＳ８及びＳ９により電力分析を行う。図８及び図９を参照してこれらを詳細に説明する。ここでは、図８が消費装置系であり、図９が発電機系である。
【００７２】
図８により、初期ステップＳ８１の後、ステップＳ８２にて、シーケンスＰ及びＮの各々に対する、即ち、正シーケンス成分Ｐ及び負シーケンス成分Ｎに対する夫々の電圧及び電流の成分の間の位相角度／ａ（＝ψ（Ｕｓ）―ψ（Ｉｓ））を計算する。その後、ステップＳ８３にて、位相角度／ａが±４０°のマージンで１０°の角度に等しいか否かをチェックする。真であるならば（イエスＹの場合）、処理は、電圧及び電流がマッチしている状態の最終ステップＳ１１（図２も参照のこと）に直接進む。しかし、このチェックが否定的な結果ならば（ステップＳ８３にて、ノーＮ）、後のステップＳ８４にて、±３０°のマージンの角度１９０°に位相角度／ａが対応するか否かをチェックする。イエスＹならば、ステップＳ８５にて、電流極性を反転し、指示「極性Ｉ＝変化」を用意する。その後、新たな割り当てをステップＳ１１にて表示する。
【００７３】
しかし、ステップＳ８４にて電流の反転が必要ない（夫々の電流プローブが位相線に適切に接続されていることを意味する）と判断すると（ノーＮの場合）、ステップＳ８６にて、電流及び電圧の間の位相角度／ａが１３０°±４０°に等しいか否かをチェックする。これが真（イエスＹ）の場合、ステップＳ８７にて、電流の割り当てを変更（回転）し、処理が最終ステップＳ１１に進み、新たな割り当てを表示する。
【００７４】
一方、ステップＳ８６にてノーＮ場合、ステップＳ８８に進み、他の位相チェックを行う。すなわち、位相角度／ａが２５０°±４０°に等しいか否かをチェックする。等しくない（ノーＮ）場合、処理は、ステップＳ４Ｄ（図２を参照）に進み、処理は、「結果見つからず」の指示を行う。しかし、位相角度／ａが特定の角度範囲内ならば（イエスＹの場合）、ステップＳ８９にて、電流割り当てを変更（回転）し、ステップＳ１１にて、電圧に対する電流チャンネルの新たな割り当てを指示する。
【００７５】
図９は、３相メイン系Ｌ１、Ｌ２及びＬ３に発電機系、例えば、メインに電流を供給する太陽光発電機が接続されている場合のアプローチを示す。
【００７６】
初期ステップＳ９１の後、ステップ９２にて、正シーケンス系／負シーケンス系成分（図７を参照）における夫々の電圧及び夫々の電流の間の位相角度／ａ（＝ψ（Ｕｓ）―ψ（Ｉｓ））を計算する。次に、ステップＳ９３にて、位相角度／ａが１９０°±４０°に等しいか否かをチェックする。図８と対称的に、ここでは、メインから引き出す電流はないが、電流をメインに供給する。よって、比較角度は、図８の消費装置系の場合の電力分析に比較して１８０°だけ増加する。
【００７７】
位相角度／ａが特定のレンジ内ならば、全てが許容でき、処理は、最終ステップＳ１１に進む。しかし、ステップＳ９３の判断結果が真でなければ（ノーＮの場合）、ステップＳ９４にて、角度／ａが１０°±３０°に等しいか否かのチェックを行う。イエスＹの場合、ステップＳ９５にて、電流方向が反転されるか、又は電流Ｉの極性を変化させる。その後、最終ステップＳ１１に進み、新たな割り当てを表示する。
【００７８】
ステップＳ９４の判断結果が否定（ノーＮ）ならば、適切な位相での電流センサの取付けをチェックする。ここでは、ステップＳ９６にて、位相角度／ａを角度３１０°（±４０°のバンド幅）と比較する。比較結果が真（イエスＹ）ならば、ステップＳ９７にて、電流割り当てを交換し、ステップＳ１１にて、この変更を新たな割り当てとして表示する。
【００７９】
ステップＳ９６で別の位相交換が行われたならば（ステップＳ９６にてノーＮの場合）、ステップＳ９８にて、位相角度／ａを角度７０°（±４０°のマージン）と比較する。判断結果が正ならば（イエスＹの場合）、ステップＳ９９にて、対応する処理を行う。ステップＳ９９では、ステップＳ９７と比較して異なる電流割り当てを行い、最終ステップＳ１１にて、電流割り当ての変更を指示する。
【００８０】
しかし、ステップＳ９８にて判断結果が否定（ノーＮ）ならば、結果なしと判断され、ステップＳ４Ｄ（図２も参照のこと）にてその旨が表示される。
【００８１】
上述の如く、図９のステップＳ９３〜Ｓ９８における比較角度は、図８の角度と対比して夫々１８０°だけ偏倚しており、３６０°の周期性を考慮すべきである。よって、角度１９０°は、１０°＋１８０°の結果であり、１０°は、３６０°を差し引けば１９０°＋１８０°＝３７０°の結果であり、３１０°は、１３０°＋１８０°の結果であり、７０°は、３６０°を減算した２５０°＋１８０°の結果である。
【００８２】
さらに、図２〜図９の流れ図を用いて説明したシーケンス又は流れは、以下の評価手順（ステップ１〜１５）にて要約される。
【００８３】
ステップ１：たった１つの同相の電圧値が小さすぎれば、電圧位相回転のチェック及び電力分析を実行できない。よって、終了となり、低すぎる電圧が表示器上に示される。その後、プロセッサは、ステップ７に進む。
【００８４】
ステップ２：無効な周波数が与えられれば、位相回転のチェック及び電力分析は、実行できない。無効周波数状態が表示され、データ処理が終了する。
【００８５】
ステップ３：電圧の回転の方向のチェックは、１２０°プラスマージンに関する位相角度差分のチェックに基づいて行われる（Ｙ接続の場合）。
【００８６】
ステップ４：回転の方向が正ならば、処理は、ステップ７に進む。
【００８７】
ステップ５：回転の方向が負ならば、位相Ｌ２及びＬ３に関する電圧割り当てが変化する。その後、処理は、ステップ７に進む。
【００８８】
ステップ６：回転の有効な方向が求まらなければ（例えば、マージン外側の角度に対して）、電流回転のみをチェックできるが、電力分析を行えない。
【００８９】
ステップ７：電流チェックにおいて、任意の位相での電流の値が小さすぎると判断すると、電流位相の回転をチェックできないし、電力分析も行えない。小さすぎる電流が存在するとの指示を表示し、アルゴリズムを終了する。
【００９０】
ステップ８：１２０°の角度（±バンド幅）に対する位相電流の位相角度差分をチェックして、電流系における位相回転をチェックする。
【００９１】
ステップ９：回転の方向が負ならば、処理は、ステップ１２で持続する。
【００９２】
ステップ１０：回転の方向が正ならば、位相Ｌ１及びＬ２に対する電流割り当ての交換を企て、処理は、ステップ１２に進む。
【００９３】
ステップ１１：回転の方向に対する有効な状態を判断できなければ、処理は、位相Ｌ１又はＬ２又はＬ３の極性を次々に反転し、その後再び、前のステップ９及び１０により回転をチェックする。かかる交換により、回転の方向が正又は負になれば、再び、対応する電流入力の対応極性の交換を企てる。
【００９４】
ステップ１２：電圧の回転の方向と電流の回転の方向が正ならば（即ち、初めから、又は、新たな割り当て若しくは極性変更によって）、処理は、ステップ１４にて継続する。
【００９５】
ステップ１３：他の場合において、無効割り当ての指示を表示し、データ処理を終了させる。
【００９６】
ステップ１４：電力分析に関わる上述の図８及び図９の流れ図により、電流及び電圧の間の位相差分をチェックする。ここで、初めから全てのデータが供給されて、状態「ＯＫ」が表示されるか、又は、上述の変更が正の結果を導いたとき、これが新たな割り当ての指示と共に表示される。
【００９７】
これは、消費装置系に対して（ここでは、電流はメインから引き出される）及び発電機系に対して（ここでは、電流がメインに供給される）実行される。
【００９８】
ステップ１５：そうでなければ、上述のように、結果が可能でないとの指示が夫々表示される。
【００９９】
当然のことながら、原理において、従来の単相系にも測定機器１を用いることができる。ここで、位相補正方法におけるセンサの接続と回転の方向の判断の可能性とに関して、不要になるかもしれないが、種々のチェックを上述のように設定する。
【符号の説明】
【０１００】
１  測定機器
２  電圧センサ
３  電流センサ
４  分圧器
５  増幅器
６  Ａ／Ｄ変換器（ＡＤＣ）
７、８  ガルバニ分離器
９  デジタル信号プロセッサ（ＤＳＰ）
１０  レンジ変更スイッチ
１２  メモリ
１４  増幅器
１５  コンデンサ
１６  抵抗器
１８  Ａ／Ｄ変換器（ＡＤＣ）
１９  メモリ（ＥＥＰＲＯＭ）
２０  メイン・プロセッサ
２１  表示器
２２  キー・パネル
【図１】
2015055632.tif 000005
【図２】
2015055632.tif 000006
【図３】
2015055632.tif 000007
【図４】
2015055632.tif 000008
【図５】
2015055632.tif 000009
【図６Ａ】
2015055632.tif 000010
【図６Ｂ】
2015055632.tif 000011
【図７Ａ】
2015055632.tif 000012
【図７Ｂ】
2015055632.tif 000013
【図８】
2015055632.tif 000014
【図９】
2015055632.tif 000015